(57)【要約】【課題】ペーパードリップ方式でコーヒー等の抽出液を得るドリップバッグにおいて、より簡便に開口形状を安定化する。【解決手段】ドリップバッグ１Ａが、上端部に開口部を有する袋本体２と、袋本体２の対向する２面の外表面に設けられた掛止部材３からなる。袋本体２は通水性濾過性シート材料から形成される。掛止部材３は薄板状材料から形成され、少なくとも一部が貼着された貼着部８、及び引き起こし可能に形成された掛止部５を有する。掛止部５は、貼着部８と折れ線Ｌ１で連続し、カップ上縁部３１に掛ける掛止用凹部４を有する。貼着部８の(i)上端部９ａ、(ii)下端部９ｂ及び(iii)掛止用凹部４を打ち抜いた残りの突出部の先端部９ｃに貼着領域が形成され、中央部と両側部に非貼着領域が形成されているドリップバッグを提供する。【選択図】図１
2008000623.tif 000002
【特許請求の範囲】
【請求項１】
上端部に開口部を有する袋本体と、袋本体の対向する２面の外表面に設けられた掛止部材からなるドリップバッグであって、
袋本体が通水性濾過性シート材料から形成され、
掛止部材が薄板状材料から形成され、
掛止部材が、袋本体の外表面に少なくとも一部が貼着された貼着部、及び袋本体の外表面から引き起こし可能に形成された掛止部を有し、
該掛止部は、貼着部と折れ線で連続し、カップ上縁部に掛ける掛止用凹部を有し、
貼着部の(i)上端部、(ii)下端部及び(iii)掛止用凹部を打ち抜いた残りの突出部の先端部に貼着領域が形成され、中央部と両側部に非貼着領域が形成されているドリップバッグ。
【請求項２】
通水性濾過性シート材料及び掛止部材が生分解性材料からなる請求項１記載のドリップバッグ。
【請求項３】
袋本体の底部にマチが形成されている請求項１又は２記載のドリップバッグ。
【請求項４】
請求項１〜３のいずれかに記載のドリップバッグに抽出材料が充填され、袋本体の上端が閉じられている飲料ドリップバッグ。
【請求項５】
抽出材料が、コーヒー粉又は茶葉である請求項４記載の飲料ドリップバッグ。
【発明の詳細な説明】
【技術分野】
【０００１】
本発明は、カップ等の容器の上部に掛止することにより、容易にドリップ式でコーヒー、紅茶、緑茶、漢方薬等の抽出液を得られるようにするドリップバッグに関する。
【背景技術】
【０００２】
従来より、手軽に本格的なコーヒーを楽しむことを可能とするコーヒーの入れ方として、ペーパードリップ方式が広く普及している。このペーパードリップ方式では、通常、数人分（数杯分）のコーヒーが一度に抽出される。
【０００３】
一方、近年、一人暮らしをする者が多くなり、また、核家族化や出生率の低下等により一家族の構成人数も少なくなっている。そのため、従来の数杯分のコーヒーを抽出することが基本とされているペーパードリップ方式に代えて、一杯分のコーヒーの抽出を手軽に行えるようにすることを目的とした、使い捨てのワンドリップコーヒーが種々の製品形態で市場に出回っている。
【０００４】
中でも、簡略な構成を有するものとしては、コーヒー粉を入れた通水性濾過性シートからなる袋本体と、その袋本体をカップに掛止させるために、袋本体の表裏両面に貼着された紙製等の掛止部材とからなるコーヒードリップバッグであって、各掛止部材に、カップ上縁部に引っ掛かる掛止用凹部を形成したものが提案されている（特許文献１参照）。
【０００５】
また、コーヒードリップバッグをカップに掛止して注湯するときの袋本体の開口径を大きくし、その形状を安定させるため、図６に示すコーヒードリップバッグ１００のように、袋本体２に取り付ける掛止部材３の内側に、第１の掛止用凹部４ａを有する第１の掛止部５ａを設けると共に、その掛止部材３の端部に、第２の掛止用凹部４ｂを有する第２の掛止部５ｂを延設することが提案されている（特許文献２参照）。
【０００６】
このコーヒードリップバッグ１００を使用する際には、まず、ミシン目６に沿って袋本体２の上端部を切除することにより開口し、次いで、図７に示すように、第１の掛止部５ａを引き起こし、それをカップの上縁部にかける。
【０００７】
図８は、こうしてコーヒードリップバッグ１００をカップ３０にかけたときの上面図である。同図からわかるように、このコーヒードリップバッグ１００によれば、袋本体２が、２つずつの第１の掛止部５ａと第２の掛止部５ｂの合計４箇所でカップ３０に支持されるので、袋本体２の開口形状を広く、安定させることができる。
【０００８】
【特許文献１】実用新案登録２５０５９５９号公報
【特許文献２】特許第３１９７９８３号公報
【発明の開示】
【発明が解決しようとする課題】
【０００９】
しかしながら、上述のコーヒードリップバッグ１００は、合計４つの掛止用凹部４ａ、４ｂをカップ３０の上縁部に掛けていく作業が繁雑である。また、このコーヒードリップバッグを使用することのできるカップの開口径の範囲が狭く、１種のコーヒードリップバッグで開口径の小さいカップから大きいカップにまで対応させることができない。
【００１０】
これに対し、本発明は、ペーパードリップ方式でコーヒー、紅茶、緑茶、漢方薬等の抽出液を得られるようにする簡略な構成のドリップバッグにおいて、袋本体の表裏の合計２つの掛止部をカップに掛けることにより、より簡便に、開口形状を安定させられるようにすることを目的とする。
【課題を解決するための手段】
【００１１】
本発明者らは、通水性濾過性シートからなる袋本体と、掛止用凹部を有する掛止部材とからなるドリップバッグにおいて、掛止部材における掛止用凹部の形成位置や袋本体に対する掛止部材の貼着位置等を特定のものとすることにより、ドリップバッグを、掛止部材の掛止用凹部でカップに掛止させた場合に、掛止部材の貼着部縁辺がカップ内壁に突き当たり、カップ内壁を押圧するので、２つの掛止用凹部をカップにかけるという簡便な操作にもかかわらず、掛止用凹部と貼着部縁辺の合計４カ所で、袋本体をカップに掛止させ、その開口形状を安定化させられること、また、このような掛止方法による開口形状の安定化は、紙カップ等の開口径の狭いカップからティーカップ等の開口径の広いカップにまで有効であることを見出した。
【００１２】
即ち、本発明は、上端部に開口部を有する袋本体と、袋本体の対向する２面の外表面に設けられた掛止部材からなるドリップバッグであって、
袋本体が通水性濾過性シート材料から形成され、
掛止部材が薄板状材料から形成され、
掛止部材が、袋本体の外表面に少なくとも一部が貼着された貼着部、及び袋本体の外表面から引き起こし可能に形成された掛止部を有し、
該掛止部は、貼着部と折れ線で連続し、カップ上縁部に掛ける掛止用凹部を有し、
貼着部の(i)上端部、(ii)下端部及び(iii)掛止用凹部を打ち抜いた残りの突出部の先端部に貼着領域が形成され、中央部と両側部に非貼着領域が形成されているドリップバッグを提供する。
【発明の効果】
【００１３】
本発明のドリップバッグは、開口径７０ｍｍ程度の紙カップから、開口径１０５ｍｍ程度のティーカップに至る種々の大きさのカップについて、カップ上縁部に掛止部材の掛止用凹部を掛けた場合に、そのカップ内壁に掛止部材の貼着部縁辺が突き当たり、カップ内壁を押圧するので、注湯時に開口した袋本体が傾いたり、袋本体の開口部が狭められたりすることなく、ドリップバッグの開口形状が極めて安定する。
【発明を実施するための最良の形態】
【００１４】
以下、本発明のドリップバッグ及びドリップバッグにコーヒー等の抽出原料を充填した飲料ドリップバッグを、図面を参照しつつ詳細に説明する。なお、各図中、同一符号は同一又は同等の構成要素を表している。
【００１５】
図１（ａ）は、本発明の飲料ドリップバッグの一形態であるコーヒードリップバッグ１００Ａの一実施例の平面図であり、図１（ｂ）、（ｃ）は、それぞれその使用状態の説明図である。
【００１６】
このコーヒードリップバッグ１００Ａに使用されているドリップバッグ１Ａは、通水性濾過性シート材料からなる袋本体２と、袋本体２の対向する２面の外表面に設けられた掛止部材３からなっている。
【００１７】
袋本体２は、対向する表裏２つの矩形面２ａ、２ｂを有している。このような袋本体２は、例えば、一枚の矩形シートを二つ折りにし、その折山を矩形面２ａ、２ｂの下辺とし、矩形面２ａ、２ｂの両側辺部２ｐ、２ｑを接着又は融着し（図１において、横線のハッチングを付した部分）、上端部を開口部として残すことにより形成することができるが、好ましくは、袋本体２の底部のシート材料を折り返してマチ７をつける。これにより、袋本体２の開口部の開いた形状がさらに安定する。
【００１８】
袋本体２にコーヒー粉が充填された後、この開口部は封止される。なお、袋本体２の上端部には予め開封用にミシン目６を施しておくことが好ましい。
【００１９】
袋本体２を形成する通水性濾過性シート材料としては、所定量のコーヒー粉を充填し、注湯した場合にコーヒーの浸出が可能であるものを種々使用することができる。一般に、浸出用シート材料としては、例えば、ポリエステル、ナイロン、ポリエチレン、ポリプロピレン、ビニロン等の合成繊維、レーヨン等の半合成繊維、コウゾ、ミツマタ等の天然繊維の単独又は複合繊維からなる織布あるいは不織布、マニラ麻、木材パルプ、ポリプロピレン繊維等からなる混抄紙等、ティーバッグ原紙等の紙類が知られており、本発明においてもこれらを使用することができるが、コーヒードリップバッグの使用後の廃棄性の点から、通水性濾過性シート材料には生分解性繊維を含有させることが好ましい。生分解性繊維としては、ポリ乳酸、ポリブチレンサクシネート、ポリエチレンサクシネート等をあげることができる。
【００２０】
シールされている両側辺部２ｐ、２ｑとミシン目６で切除される部分を除く、袋本体２の正味の平面寸法は、開口径７０〜１０５ｍｍ程度の通常のカップに対して、幅Ｗ２を６０〜９０ｍｍ、高さＨ２を７０〜１００ｍｍとすることが好ましい。
【００２１】
一方、掛止部材３は、袋本体２をカップ３０にかけられるようにするため、袋本体２の表裏の矩形面２ａ、２ｂの外表面にそれぞれ設けられており、各掛止部材３は、袋本体２の外表面に接着又は融着により貼着された貼着部８と、袋本体２の外表面から引き起こし可能に形成された掛止部５からなる。貼着部８と掛止部５は、紙、プラスチックシート等一枚の薄板状材料の打ち抜きにより形成されている。
【００２２】
この薄板状材料も、コーヒードリップバッグ１００Ａの使用後の廃棄性の点から、ポリ乳酸、ポリブチレンサクシネート、ポリエチレンサクシネート等の生分解性材料から形成したものが好ましい。
【００２３】
貼着部８は、その全面を袋本体２と貼着してもよいが、ドリップバッグ１Ａの全体としての通水性を高める点から、袋本体２を安定に支持できる限り、部分的に貼着することが好ましい。したがって、例えば、図１（ａ）で細かいドットで塗りつぶしたように、貼着部８の上端部９ａ、下端部９ｂ、及び掛止用凹部４を打ち抜いた残りの突出部の先端部９ｃのみを貼着領域とし、残りの中央部と両側部を非貼着領域とする。
【００２４】
貼着部８の全体的な大きさについては特に限定はないが、コーヒードリップバッグ１００Ａをカップ３０へかけた場合に（図１（ｃ）参照）、小さすぎると袋本体２の形状の安定性が低下するので、例えば、袋本体２の高さＨ２が７０〜１００ｍｍ、幅Ｗ２が６０〜９０ｍｍである場合に、貼着部８の高さＨ１を３０〜８５ｍｍ、幅Ｗ１を２４〜５４ｍｍ程度とすることが好ましい。
【００２５】
掛止部５は、このドリップバッグ１Ａをカップ３０に掛ける場合に、カップ３０の上縁部に引っ掛ける掛止用凹部４を有しており、貼着部８と折れ線Ｌ１で連続している。
【００２６】
本発明においては、掛止用凹部４の外側端部４ａと折れ線Ｌ１との距離をａ、折れ線Ｌ１と該折れ線Ｌ１を挟んで掛止用凹部４と反対側に位置する貼着部縁辺８ａとの距離をｂ、貼着部縁辺８ａ側の貼着領域９ａの端部９ａａと袋本体２の側辺部２ｐとの距離をｃとしたときに、
ａが８ｍｍ〜１５ｍｍ、
ａ≦ｂ≦１．３ａ、
ｃが９ｍｍ〜２７ｍｍ
が満たされるようにすることを特徴としており、そのために掛止部材３における掛止部５の打ち抜き形状と位置、貼着部８の貼着領域、貼着部８の袋本体２に対する位置を適宜調整する。
【００２７】
これにより、図２の上面図のように、コーヒードリップバッグ１００Ａを、掛止部５の掛止用凹部４でカップ３０に掛止させた場合に、貼着部８の縁辺８ａがカップ内壁に突き当たり、カップ３０の内壁を押圧するので、２つの掛止用凹部４をカップ３０にかけるという簡便な操作にもかかわらず、２つの掛止用凹部４と２つの貼着部縁辺８ａの合計４カ所で、袋本体２をカップ３０に掛止させ、その開口形状を安定化させることができる。この距離ａ、ｂ、ｃの好ましい値は、カップ３０の開口径によって異なり、例えば、開口径７０ｍｍ〜８０ｍｍ程度の比較的小さいカップの場合、
ａを８〜１２ｍｍ、
ａ≦ｂ≦１．２ａ、
ｃを９ｍｍ〜２０ｍｍ
とすることが好ましく、また、開口径９５ｍｍ〜１０５ｍｍ程度の比較的大きいカップの場合、
ａを８〜１５ｍｍ、
ａ≦ｂ≦１．３ａ、
ｃを１８ｍｍ〜２７ｍｍ
とすることが好ましい。
【００２８】
これに対し、距離ａが短すぎると、図３（ａ）に示したように、貼着部８が曲がってしまい、袋本体２の開口部が十分に広がらず、また、貼着部縁辺８ａでカップ３０の内壁を十分に押圧することができない。反対に、距離ａが長すぎると、図３（ｂ）に示したように、貼着部縁辺８ａがカップ３０の内壁に接触しないので開口した袋本体２が傾きやすい。このため、いずれも袋本体２の開口形状を広く安定させることができない。
【００２９】
また、距離ｂが距離ａよりも短いと、図４（ａ）に示したように、貼着部縁辺８ａがカップ３０の内壁に接触しないので、開口した袋本体２が傾き易く、反対に、距離ｂが長すぎると図４（ｂ）に示したように、貼着部８が曲がってしまい、袋本体２の開口部が十分に広がらず、貼着部縁辺８ａでカップ３０の内壁を十分に押圧することもできない。このため、これらの場合にも袋本体２の開口形状を広く安定させることができない。
【００３０】
距離ｃが短すぎると、図５（ａ）に示したように、貼着部縁辺８ａがカップ３０の内壁に接触しないので、開口した袋本体２が傾き易く、距離ｃが長すぎると、図５（ｂ）に示したように、貼着部８が曲がってしまい、袋本体２の開口部が十分に広がらず、貼着部縁辺８ａでカップ３０の内壁を十分に押圧することもできない。
【００３１】
さらに、袋本体２の正味の平面寸法における幅Ｗ２が６０〜９０ｍｍ、掛止部材３の幅Ｗ３が３０〜８０ｍｍである場合に、距離ｃを上述の９〜２７ｍｍにすることにより、貼着部８の貼着領域９ａの幅９ａ0 の中心と袋本体２の幅Ｗ２の中心Ｗ２0 とのズレ幅が袋本体２の幅Ｗ２の１０％以下となり、袋本体２の開口形状を、該袋本体２の幅Ｗ２において開口面積が最大となる正方形に近づけることができる。
【００３２】
このコーヒードリップバッグ１００Ａを使用してコーヒーを抽出する方法としては、まず、ミシン目６にそって袋本体２の上端部を切除することにより袋本体２を開口し、図１（ｂ）に示したように、掛止部５を袋本体２の外表面から引き起こす。次に図１（ｃ）に示したように、掛止部５の掛止用凹部４を、カップ上縁部３１に引っ掛けて掛止させる。このとき、図２に示したように、貼着部縁辺８ａがカップ３０の内壁に突き当たり、その内壁を押圧するので、袋本体２の開口形状が安定する。こうして、コーヒードリップバッグ１００Ａをカップ３０にセットした後、袋本体２の開口部から注湯する。
【００３３】
なお、以上の説明では、コーヒードリップバッグ１００Ａをミシン目６で開口した後、コーヒードリップバッグ１００Ａをカップ３０にセットする例を示したが、本発明のコーヒードリップバッグ１００Ａの使用方法はこれに限られず、コーヒードリップバッグ１００Ａをカップ３０にセットした後、コーヒードリップバッグ１００Ａを開口してもよい。
【００３４】
この他、本発明は種々の態様をとることができる。例えば、上述のコーヒードリップバッグ１００Ａの袋本体２の上端部のミシン目６は、この部分の開口を容易にするために設けられているが、ミシン目６に代えて、この部分を容易に剥離することができる程度に熱接着によりシールしてもよい。
【００３５】
また、本発明のドリップバッグに充填する抽出原料としては、コーヒー粉に代えて紅茶、緑茶等の茶葉や、漢方薬等を使用してもよく、それにより種々の飲料ドリップバッグを得ることができる。
【産業上の利用可能性】
【００３６】
本発明のドリップバッグは、コーヒー、紅茶、緑茶等の茶葉、漢方薬等の飲料の抽出に使用することができる。
【図面の簡単な説明】
【００３７】
【図１】実施例のコーヒードリップバッグの平面図（ａ）、及び使用状態の説明図（ｂ）、（ｃ）である。
【図２】実施例のコーヒードリップバッグの使用状態の上面図である。
【図３】コーヒードリップバッグの使用状態の上面図である。
【図４】コーヒードリップバッグの使用状態の上面図である。
【図５】コーヒードリップバッグの使用状態の上面図である。
【図６】従来のコーヒードリップバッグの平面図である。
【図７】従来のコーヒードリップバッグの使用状態の説明図である。
【図８】従来のコーヒードリップバッグの使用状態の上面図である。
【符号の説明】
【００３８】
１Ａ  ドリップバッグ
２    袋本体
２ｐ、２ｑ  袋本体の側辺部
３    掛止部材
４    掛止用凹部
４ａ  第１の掛止用凹部
４ｂ  第２の掛止用凹部
５    掛止部
５ａ  第１の掛止部
５ｂ  第２の掛止部
６    ミシン目
７    マチ
８    貼着部
８ａ  貼着部縁辺
９ａ、９ｂ、９ｃ  貼着部における貼着領域
９ａａ    貼着部縁辺８ａ側の貼着領域９ａの端部
３０    カップ
３１    カップ上縁部
１００  コーヒードリップバッグ
１００Ａ  コーヒードリップバッグ
【図１】
2008000623.tif 000003
【図２】
2008000623.tif 000004
【図３】
2008000623.tif 000005
【図４】
2008000623.tif 000006
【図５】
2008000623.tif 000007
【図６】
2008000623.tif 000008
【図７】
2008000623.tif 000009
【図８】
2008000623.tif 000010